(57)【特許請求の範囲】
【請求項１】
画像を表示するための光を出射する光源ユニットを支持するバックライトシャーシが外郭の一部を構成している表示装置であって、
前記バックライトシャーシは、一面が開放された箱体状をなす金属板のプレス加工品であり、
前記バックライトシャーシは、
前記光源ユニットを囲繞し、一体的に矩形状に連なっており、角が円弧状に湾曲されてある周壁と、
前記周壁の一辺に連設してあり、前記光源ユニットの反対側に凹んだ凹部が形成してある底壁と
を有し、
前記光源ユニットは、
前記凹部に配置された光源と、
前記光源の光が一端面に入射され、一平面から光を出射する導光板と
を有し、
前記底壁の外面に配置され、画像の表示を制御する制御回路を備えること
を特徴とする表示装置。
【請求項２】
前記周壁に切欠が設けられていること
を特徴とする請求項１に記載の表示装置。
【請求項３】
前記バックライトシャーシは、更に、前記画像を表示する表示パネルを、前記光源ユニットに重ねて支持していること
を特徴とする請求項１又は請求項２に記載の表示装置。
【請求項４】
請求項１から請求項３のいずれか１つに記載の表示装置と、
テレビジョン放送を受信する受信部と
を備え、
該受信部が受信したテレビジョン放送に基づいて、前記表示装置に画像を表示するようにしてあること
を特徴とするテレビジョン受信機。
【発明の詳細な説明】
【技術分野】
【０００１】
本発明は、画像を表示する表示装置及びテレビジョン受信機に関する。
【背景技術】
【０００２】
現在、表示装置として、液晶パネルに画像を表示する液晶表示装置を備えるテレビジョン受信機が普及している（特許文献１を参照）。
特許文献１に記載のテレビジョン受信機が備える表示装置は、液晶パネル（表示パネル）の一面に向けて光を出射するバックライト（光源ユニット）を有し、光源ユニットは、箱体状をなすバックライトシャーシの底壁上に支持されている。バックライトシャーシの外側全体はバックカバーによって覆われている。
【先行技術文献】
【特許文献】
【０００３】
【特許文献１】特開２０１０−１０９８０３号公報
【発明の概要】
【発明が解決しようとする課題】
【０００４】
現在、表示パネルによって画像を表示する表示装置は薄型化及び軽量化が求められている。薄くて軽い表示装置として、バックライトシャーシが外郭の一部を構成している表示装置が考えられる。この表示装置は、バックカバーがバックライトシャーシを覆わないため、薄くて軽い。
【０００５】
その一方で、バックカバーがバックライトシャーシを覆わないため、表示装置の剛性が低い。従って、使用中に想定される衝撃によって表示装置が変形しないように、バックライトシャーシの剛性を高くして表示装置に十分な剛性を持たせる必要がある。
【０００６】
ここで、バックライトシャーシは表示装置の外郭の一部を構成しているため、外観を損なうことなく、バックライトシャーシの剛性を高くする必要がある。このため、バックライトシャーシの底壁に金具の取付又は絞りの付設等を行うことによってバックライトシャーシの剛性を高くすることは、表示装置の外観を損なうため、好ましくない。
【０００７】
本発明は斯かる事情に鑑みてなされたものであり、その目的とするところは、バックライトシャーシの剛性が高く、外観を良好にすることができる薄くて軽い表示装置及びテレビジョン受信機を提供することにある。
【課題を解決するための手段】
【０００８】
本発明に係る表示装置は、画像を表示するための光を出射する光源ユニットを支持するバックライトシャーシが外郭の一部を構成している表示装置であって、前記バックライトシャーシは、一面が開放された箱体状をなす金属板のプレス加工品であり、前記バックライトシャーシは、前記光源ユニットを囲繞し、一体的に矩形状に連なっており、角が円弧状に湾曲されてある周壁と、前記周壁の一辺に連設してあり、前記光源ユニットの反対側に凹んだ凹部が形成してある底壁とを有し、前記光源ユニットは、前記凹部に配置された光源と、前記光源の光が一端面に入射され、一平面から光を出射する導光板とを有し、前記底壁の外面に配置され、画像の表示を制御する制御回路を備えることを特徴とする。
【０００９】
本発明にあっては、画像を表示するための光を出射する光源ユニットを支持し、外郭の一部を構成しているバックライトシャーシは、金属板のプレス加工品であり、一面が開放された箱体状をなす。バックライトシャーシの周壁は、一体的に矩形状に連なって、角が円弧状に湾曲されてあり、光源ユニットを囲繞している。バックライトシャーシにおいて、底壁は周壁の一辺に連設してある。バックライトシャーシの底壁には、光源ユニットの反対側に凹んだ凹部が形成してある。光源ユニットの光源は凹部に配置されており、光源の光は導光板の一端面に入射され、導光板は一平面から光を出射する。また、画像の表示を制御する制御回路が底壁の外面に配置されている。
【００１０】
一体的に連なっている周壁がバックライトシャーシの底壁に対してリブとして機能するため、バックライトシャーシの剛性、特に捻る力に対する剛性が高い。更に、バックライトシャーシ全体を覆う部材がないため、厚さが薄く、重量が軽い。
また、バックライトシャーシは、金属板のプレス加工品であるため、容易に製造される。更に、バックライトシャーシの周壁の角が円弧状に湾曲されてあるため、バックライトシャーシはより容易に製造される。
【００１１】
本発明に係る表示装置は、前記周壁に切欠が設けられていることを特徴とする。
【００１２】
本発明にあっては、バックライトシャーシにおいて、周壁に切欠が設けられている。従って、例えば、画像を表示する表示パネルと、該表示パネルによる画像の表示を制御する制御回路とを接続するＦＰＣ（Flexible Printed Circuit）を切欠に配することが可能となり、ＦＰＣの配線が容易になる。
【００１３】
本発明に係る表示装置は、前記バックライトシャーシは、更に、前記画像を表示する表示パネルを、前記光源ユニットに重ねて支持していることを特徴とする。
【００１４】
本発明にあっては、表示パネルは光源ユニットに重ねられた状態でバックライトシャーシに支持されているため、厚さがより薄い。
【００１５】
本発明に係るテレビジョン受信機は、前述の表示装置と、テレビジョン放送を受信する受信部とを備え、該受信部が受信したテレビジョン放送に基づいて、前記表示装置に画像を表示するようにしてあることを特徴とする。
【００１６】
本発明にあっては、受信部が受信したテレビジョン放送に基づいて前述の表示装置に画像が表示されるため、表示装置のバックライトシャーシの剛性は高い。従って、バックライトシャーシの底壁及び周壁等の外郭の一部を構成する部分に金具の取付又は絞りの付設等を行う必要がないため、外観を良好にすることが可能となる。更に、バックライトシャーシ全体を覆う部材がないため、厚さが薄く、重量が軽い。
【発明の効果】
【００１７】
本発明によれば、バックライトシャーシが光源ユニットを囲繞し、一体的に連なっている周壁を有するため、バックライトシャーシの剛性が高く、外観を良好にすることができる薄くて軽い表示装置及びテレビジョン受信機を実現することができる。
【図面の簡単な説明】
【００１８】
【図１】本発明に係るテレビジョン受信機の外観を示す模式図である。
【図２】バックライトシャーシの正面図である。
【図３】図２のＡ部分を拡大したバックライトシャーシの斜視図である。
【図４】図２のＢ−Ｂ線で切断した表示装置の概略断面図である。
【図５】図２のＣ−Ｃ線で切断した表示装置の概略断面図である。
【発明を実施するための形態】
【００１９】
以下、本発明をその実施の形態を示す図面に基づいて詳述する。
図１は、本発明に係るテレビジョン受信機の外観を示す模式図である。テレビジョン受信機１は、表示装置１０、受信部１１、信号処理部１２及びスタンド１３を備えている。
【００２０】
表示装置１０は、画像を表示する矩形板状の表示パネル２２を備え、表示パネル２２の周縁部は、中央部に開口２３ａを有する矩形枠状のカバー２３によって覆われている。表示パネル２２において、画像を表示する表示面の中央部に位置する有効表示領域は開口２３ａから露出している。
【００２１】
ここで、開口２３ａの縦及び横の寸法は、カバー２３が表示パネル２２の周辺を覆うことができるように、表示パネル２２の縦及び横の寸法よりも若干小さい。
【００２２】
また、表示パネル２２の表示面の反対面は、バックライトシャーシ２１によって覆われている。バックライトシャーシ２１は、前記反対面に光を出射する後述の光源ユニットを支持し、表示装置１０の外郭の一部を構成している。
【００２３】
受信部１１は、図示しないアンテナに接続されており、アンテナを介してテレビジョン放送を受信する。信号処理部１２は、受信部１１が受信したテレビジョン放送に係るデータを復調し、復調したデータから画像データを分離し、分離した画像データを出力する。表示パネル２２は、信号処理部１２が出力した画像データに基づく画像をカバー２３の開口２３ａから露出している表示面に表示する。
【００２４】
スタンド１３は、バックライトシャーシ２１の外側に設けられており、表示装置１０を縦姿勢で支持する。
以下では、表示装置１０において、表示パネル２２が配置されている側を正面側とし、その反対側を背面側とする。更に、テレビジョン受信機１においてスタンド１３が配置される側を表示装置１０の下側とし、その反対側を表示装置１０の上側とする。スタンド１３によって設置された表示装置１０においてカバー２３の開口２３ａに露出してある表示パネル２２を外部から見て右側及び左側夫々を、表示装置１０の右側及び左側とする。
【００２５】
図２はバックライトシャーシ２１の正面図である。バックライトシャーシ２１は、一面が開放された箱体状をなし、矩形板状の底壁２１ａの各辺から複数の側壁２１ｂ，２１ｃ，２１ｄ，２１ｅが立設されている。側壁２１ｂ，２１ｃ，２１ｄ，２１ｅ夫々の高さ及び厚みは略同一である。表示装置１０では、バックライトシャーシ２１は、側壁２１ｂ，２１ｃ，２１ｄ，２１ｅ夫々が表示装置１０の上側、下側、左側及び右側となるように配置されている。
【００２６】
バックライトシャーシ２１は、例えばアルミニウム板のプレス加工によって製造され、側壁２１ｂ，２１ｃ，２１ｄ，２１ｅは一体的に連なる周壁をなしている。図２に示すＡ部分は、側壁２１ｂ，２１ｄの連結部分を示している。
【００２７】
図３は、図２のＡ部分を拡大したバックライトシャーシ２１の斜視図である。図３に示すように、側壁２１ｂ，２１ｄは連続しており、側壁２１ｂ，２１ｄの連結部分は円弧状に湾曲している。側壁２１ｂ，２１ｅの連結部分、側壁２１ｃ，２１ｅの連結部分、及び、側壁２１ｃ，２１ｄの連結部分夫々も、側壁２１ｂ，２１ｄの連結部分と同様に円弧状に湾曲している。
【００２８】
また、側壁２１ｃには、図２に示すように、側壁２１ｃの縁辺を適長に切欠いてなる矩形状の切欠２１ｆ，２１ｆ，・・・，２１ｆが適当な間隔を隔てて設けられている。切欠２１ｆ，２１ｆ，・・・，２１ｆには、表示パネル２２の下辺部に同様の間隔を隔てて設けられている後述のＦＰＣ２９，２９，・・・，２９（図４又は図５参照）が配される。
【００２９】
なお、底壁２１ａ及び側壁２１ｂ，２１ｃ，２１ｄ，２１ｅ夫々の厚みは、例えば１〜１．２ｍｍの範囲で適宜設定され、バックライトシャーシ２１の開放された一面から底壁２１ａまでの深さは、例えば５〜６ｍｍの範囲で適宜設定されている。
【００３０】
以上のように構成されるバックライトシャーシ２１は、側壁２１ｂ，２１ｃ，２１ｄ，２１ｅが一体的に連なっている周壁を有する。該周壁は底壁２１ａに対してリブとして機能するため、バックライトシャーシ２１の剛性、特に捻る力に対する該剛性が高い。従って、バックライトシャーシ２１において表示装置１０の外郭の一部をなす部分、即ち、底壁２１ａの背面、及び、側壁２１ｂ，２１ｃ，２１ｄ，２１ｅ夫々の外面に金具の取付又は絞りの付設等を行ってバックライトシャーシ２１の剛性を高くする必要がなく、表示装置１０の外観を良好にすることができる。
【００３１】
更に、図１に示すように、バックライトシャーシ２１全体を覆う部材がないため、表示装置１０、及び、該表示装置１０を備えるテレビジョン受信機１は薄くて軽く、表示パネル２２の周縁部をバックライトシャーシ２１の外側から覆うカバー２３の狭額化要求に応えることができる。
【００３２】
バックライトシャーシ２１は、アルミニウム板のプレス加工品である場合、容易に製造される。更に、側壁２１ｂ，２１ｅの連結部分、側壁２１ｃ，２１ｅの連結部分、側壁２１ｃ，２１ｄの連結部分、及び、側壁２１ｃ，２１ｄの連結部分夫々が円弧状に湾曲しているため、バックライトシャーシ２１は、より容易に製造される。
【００３３】
図４は、図２のＢ−Ｂ線で切断した表示装置１０の概略断面図であり、図５は、図２のＣ−Ｃ線で切断した表示装置１０の概略断面図である。バックライトシャーシ２１内では、底壁２１ａに密着した状態で配された矩形状の反射シート２４と、矩形板状の導光板２５と、夫々が同様の矩形状をなす光学シート群２６と、表示パネル２２とが背面側から正面側に向かって順に積層されている。このようにバックライトシャーシ２１は、表示パネル２２、反射シート２４、導光板２５及び光学シート群２６を重ねて支持している。表示パネル２２の表示面の周縁部、及び、表示パネル２２の周面は、カバー２３によって、バックライトシャーシ２１の外側から覆われている。
【００３４】
導光板２５の下端面２５ａの下側には、矩形板状のＬＥＤ（Light Emitting Diode）基板２７が、長手方向が表示装置１０の左右方向と一致するように配置されている。ＬＥＤ基板２７の上面には、ＬＥＤ２８，２８，・・・，２８（図４及び図５夫々では１つのみを図示）がＬＥＤ基板２７の長手方向に沿って適当な間隔を隔てて設置されており、ＬＥＤ２８，２８，・・・，２８夫々は、導光板２５の下端面２５ａに向けて、図４及び図５夫々では矢印が示す方向に光を出射する。
【００３５】
側壁２１ｂ，２１ｃ，２１ｄ，２１ｅからなる周壁は、表示パネル２２、反射シート２４、導光板２５、光学シート群２６、ＬＥＤ基板２７及びＬＥＤ２８，２８，・・・，２８を囲繞している。
【００３６】
導光板２５は例えばアクリル樹脂を用いてなる。ＬＥＤ２８，２８，・・・，２８夫々が出射した光は、下端面２５ａから導光板２５の内部に入射され、導光板２５の正面及び背面で反射を繰り返す。導光板２５を伝播する光が導光板２５の正面で反射する場合、該光の一部が光学シート群２６に向けて出射される。導光板２５の背面は反射シート２４に密着しているため、該背面では、導光板２５を伝播する全ての光が反射する。これにより、導光板２５は正面から光学シート群２６に向けて均一な光を出射する。
【００３７】
反射シート２４の縦及び横の寸法は、導光板２５の背面の縦及び横の寸法よりも大きく、反射シート２４は導光板２５の背面を完全に覆っているため、導光板２５の背面から光が漏れることはない。
【００３８】
導光板２５の正面から出射された光は、光学シート群２６を透過して、表示パネル２２の背面に照射される。光学シート群２６は、表示パネル２２の背面、及び、導光板２５の正面夫々に密着した状態で配置され、光を拡散させる拡散機能を有する光学シート、及び、光を集光する集光機能を有する光学シート等、複数枚の光学シートが積層されてなる。光学シート群２６は光学シート群２６を透過する光の集光及び拡散等を行う。
【００３９】
表示パネル２２は、表示面側のガラス板と、背面側のガラス板とを有する。２枚のガラス板の間には液晶が配されており、液晶に印加された電圧に応じて、表示パネル２２を透過する光の透過率が変化する。これにより、表示パネル２２は、背面から入射された光の透過又は遮断を行う。この結果、表示パネル２２の表示面に画像が表示される。
【００４０】
反射シート２４、導光板２５、ＬＥＤ基板２７及びＬＥＤ２８，２８，・・・，２８は、画像を表示するための光を出射する光源ユニットとして機能する。更に、表示パネル２２は導光板２５と光学シート群２６を介して重なっているため、表示装置１０はより薄い。
【００４１】
表示パネル２２の下辺部には、矩形のシート状をなすＦＰＣ２９，２９，・・・，２９（図４及び図５夫々では１つのみを図示）が切欠２１ｆ，２１ｆ，・・・，２１ｆと同様の間隔を隔てて設けられており、ＦＰＣ２９，２９，・・・，２９夫々の一端は表示パネル２２に接続されている。ＦＰＣ２９，２９，・・・，２９夫々は、表示パネル２２の下辺部から垂下し、切欠２１ｆ，２１ｆ，・・・，２１ｆに各別に通された状態で、後側に折り曲げられ、ＦＰＣ２９，２９，・・・，２９夫々の他端はバックライトシャーシ２１の後面の下側に配置された制御回路３０に接続している。
【００４２】
このように、側壁２１ｃに切欠２１ｆ，２１ｆ，・・・，２１ｆが設けられたことにより、表示パネル２２と制御回路３０とを接続するＦＰＣ２９，２９，・・・，２９の配線が容易になる。
【００４３】
また、ＦＰＣ２９，２９，・・・，２９夫々には、液晶に電圧を印加して表示パネル２２を駆動する図示しない駆動回路が実装されており、各駆動回路は、制御回路３０の指示に従って表示パネル２２の液晶に電圧を印加する。
【００４４】
制御回路３０は、信号処理部１２が出力した画像データに基づいて、各駆動回路が液晶に印加する電圧を指示する。これにより、表示パネル２２を透過する光の透過率が、信号処理部１２が出力した画像データに基づいて変化し、表示パネル２２の表示面に画像データに基づく画像が表示される。
【００４５】
バックライトシャーシ２１の下側にあるＦＰＣ２９，２９，・・・，２９夫々の一部、及び、制御回路３０は、一面が開放された箱体状をなす回路カバー３１によって覆われている。
【００４６】
なお、制御回路３０はバックライトシャーシ２１の外側下部に配置しなくてもよく、例えば、スタンド１３内に設けられた空間に配置されてもよい。この場合、制御回路３０を覆う回路カバー３１が不要となるため、表示装置１０において回路カバー３１が設けられていた場所の厚さを更に薄くすることができ、表示装置１０を更に軽くすることができる。
【００４７】
また、画像を表示するための光を出射する光源ユニットは、本実施の形態で説明したエッジライト形の光源ユニットに限定されない。光源ユニットは、ＬＥＤ２８，２８，・・・，２８を底壁２１ａに並置し、ＬＥＤ２８，２８，・・・，２８から光学シート群２６に直接出射する直下形の光源ユニットでもよい。
【００４８】
更に、ＬＥＤ２８，２８，・・・，２８の代わりに冷陰極管、例えば蛍光管を用いてもよい。
切欠２１ｆの形状は矩形状に限定されず、例えば、ＦＰＣ２９が通る形状であればよい。更に、切欠２１ｆに通すものはＦＰＣ２９に限定されない。
【００４９】
また、バックライトシャーシ２１の底壁２１ａの形状は、矩形板状に限定されず、３角形の板状、又は、５角形以上の多角形の板状であってもよく、円形板状又は楕円板状であってもよい。
【００５０】
また、表示装置１０が表示する画像は、テレビジョン放送に基づく画像に限定されない。表示装置１０は、通信ネットワーク、例えばインターネットから取得された画像データに係る画像を表示してもよい。
【符号の説明】
【００５１】
１  テレビジョン受信機
１０  表示装置
１１  受信部
２１  バックライトシャーシ
２１ｂ，２１ｃ，２１ｄ，２１ｅ  側壁
２１ｆ  切欠
２２  表示パネル
２４  反射シート
２５  導光板
２７  ＬＥＤ基板
２８  ＬＥＤ
【図１】
0005546585.tif 000002
【図２】
0005546585.tif 000003
【図３】
0005546585.tif 000004
【図４】
0005546585.tif 000005
【図５】
0005546585.tif 000006